(57)【要約】【課題】一部の機能部の交換のために使用可能な部分までも無駄にしてしまうことがなく、また装置に拡張性を持たせても使い勝手が損なわれることのない記録再生装置を実現する。【解決手段】少なくとも、電子情報を記録媒体に記録し、またそこから再生する記録再生ユニット４０と、該記録再生ユニット４０に記録される電子情報を入力する記録情報入力ユニット２０と、記録再生ユニット４０および記録情報入力ユニット２０の動作を制御するコントロールユニット３０とからなる記録再生装置において、これらのユニット２０、３０、４０を互いに略等しい平面形状の筐体２１、３１、４１を備えた互いに別体のものに形成し、それらを保持手段１１により、互いに略等しい形状の平面部が重なる向きにして着脱自在に保持する。また記録再生ユニット４０の記録再生ヘッド８３を保持する部分８０と筐体４１との間に、少なくとも記録再生ヘッド８３の移動方向の振動を吸収する制振部材８５，８５を配設する。【選択図】　　　　　図１
2004111013.tif 000002
【特許請求の範囲】
【請求項１】
少なくとも、電子情報を記録媒体に記録するとともに該記録媒体から再生する記録再生ユニットと、この記録再生ユニットに記録される電子情報を入力する記録情報入力ユニットと、前記記録再生ユニットおよび記録情報入力ユニットの動作を制御するコントロールユニットとからなる記録再生装置であって、
これら複数のユニットが互いに略等しい平面形状とされた筐体を備えて、互いに別体に形成されるとともに、
前記複数のユニットを、互いに略等しい形状の平面部が重なる向きにして、着脱自在にまとめて保持する保持手段が設けられたことを特徴とする記録再生装置。
【請求項２】
前記記録情報入力ユニットが、カメラユニット、表示ユニット、ＧＰＳユニット、無線データ通信用ユニット、およびＩＣカードと外部装置とを無線で接続するＩＦユニットのうちの少なくとも１つからなることを特徴とする請求項１記載の記録再生装置。
【請求項３】
前記記録再生ユニットが、記録媒体として磁気ディスク、光ディスク、または光磁気ディスクを用いるものであることを特徴とする請求項１記載の記録再生装置。
【請求項４】
少なくとも、記録媒体に対して相対的に移動する記録再生ヘッドを備えて電子情報を該記録媒体に記録するとともに該記録媒体から再生する記録再生ユニットと、この記録再生ユニットに記録される電子情報を入力する記録情報入力ユニットと、前記記録再生ユニットおよび記録情報入力ユニットの動作を制御するコントロールユニットとからなる記録再生装置であって、
これら複数のユニットが互いに略等しい平面形状とされた筐体を備えて、互いに別体に形成されるとともに、
前記複数のユニットを、互いに略等しい形状の平面部が重なる向きにして、着脱自在にまとめて保持する保持手段が設けられ、
前記記録再生ユニットの記録再生ヘッドを保持する部分と筐体との間に、少なくとも記録再生ヘッドの移動方向の振動を吸収する制振部材が配設されたことを特徴とする記録再生装置。
【請求項５】
前記記録情報入力ユニットが、カメラユニット、表示ユニット、ＧＰＳユニット、無線データ通信用ユニット、およびＩＣカードと外部装置とを無線で接続するＩＦユニットのうちの少なくとも１つからなることを特徴とする請求項４記載の記録再生装置。
【請求項６】
前記記録再生ユニットが、記録媒体として磁気ディスク、光ディスク、または光磁気ディスクを用いるものであることを特徴とする請求項４記載の記録再生装置。
【請求項７】
前記制振部材が制振合金、合成樹脂、あるいはゴムから形成されていることを特徴とする請求項４記載の記録再生装置。
【請求項８】
前記制振部材が制振合金から形成され、この制振合金がマンガン（Ｍｎ）７３％、銅（Ｃｕ）２０％、ニッケル（Ｎｉ）５％、鉄（Ｆｅ）２％からなるものであることを特徴とする請求項７記載の記録再生装置。
【請求項９】
前記制振部材が、厚みが連続的あるいは段階的に変化する形状のものであることを特徴とする請求項４記載の記録再生装置。
【発明の詳細な説明】
【０００１】
【発明の属する技術分野】
本発明は、画像データ等の電子情報を記録再生する装置に関するものであり、特に詳細には、記録再生を行う部分や、情報を入力する部分が個別にユニット化されてなる記録再生装置に関するものである。
【０００２】
【従来の技術】
従来、電子撮像素子で撮像した被写体の静止画像をメモリや磁気ディスク等の記録媒体に電子情報の形で記録するいわゆるデジタルカメラや、撮影した動画を磁気テープや磁気ディスク等の記録媒体に電子情報の形で記録するビデオカメラが提供されている。また、このように各種データを電子情報の形で記録媒体に記録する装置として、その他にパーソナルコンピュータ（パソコン）や、ＰＤＡ（Ｐｅｒｓｏｎａｌ　Ｄａｔａ　Ａｓｓｉｓｔａｎｔｓ　）等も提供されている。
【０００３】
【発明が解決しようとする課題】
上記のように電子情報を記録媒体を用いて記録再生する装置においては一般に、記録再生部やそこに電子情報を入力する記録情報入力部（例えばデジタルカメラにあっては撮影部）等の機能部は、静止画像や動画さらには演算処理結果等の記録内容を表示する表示部等も含めて、全て一体的に形成されることが多い。他方、例えばビデオカメラにおいて付加的に使用される大容量電池や、ＰＤＡにおいて付加的に使用される磁気ディスクドライブ等を記録再生装置本体とは別体に形成し、必要に応じて該本体と接続するようにして、記録再生装置に拡張性を持たせることもなされている。
【０００４】
ところで、上述のように各機能部が全て一体的に形成されてなる記録再生装置においては、例えば磁気ディスクドライブ等からなる記録再生部だけを、もっと高性能あるいは多機能のものに取り替えたいという、いわゆるグレードアップの要求に応えることは事実上不可能であり、その場合には記録再生装置そのものを新しい高価なものに買い替える必要がある。また、このような記録再生装置においては、例えば記録再生部だけが故障してそれが修理不可能だった場合も、記録再生部以外の機能部は正常であるにも拘わらず、記録再生装置そのものを買い替える必要がある。このように、一部以外は使用可能であるにも拘わらず装置全体を買い換えるのは、資源の無駄使いであり、また消費者に大きな経済的負担を強いることでもある。
【０００５】
また、上述のように記録再生装置本体と、それとは別体に形成された付加的な機能部とを使用する場合、この付加的な機能部のみを交換するのは容易であるが、記録再生装置本体を構成している機能部についての事情は上記と同様である。
【０００６】
さらに、記録再生装置本体と、それとは別体に形成された付加的な機能部とを使用する場合は、例えば付加的な大容量電池が記録再生装置本体から大きく張り出したり、あるいは付加的な磁気ディスクドライブがワイヤだけで記録再生装置本体と不安定に結合している、といった状態になるため、装置の使い勝手が悪いという問題も認められる。
【０００７】
本発明は上記の事情に鑑みてなされたものであり、一部の機能部の交換のために使用可能な部分までも無駄にしてしまうことがなく、また装置に拡張性を持たせても使い勝手が損なわれることのない記録再生装置を提供することを第１の目的とする。
【０００８】
また本発明の第２の目的は、記録媒体に対して相対的に移動する記録再生ヘッドを備えてなり、一部の機能部の交換のために使用可能な部分までも無駄にしてしまうことがなく、また装置に拡張性を持たせても使い勝手が損なわれることがなく、そして、操作中に装置に加えられる不要な振動や、誤って落とされる等によって記録再生ヘッドの移動方向の衝撃が加わっても、記録再生ヘッドが位置ズレを起こすことのない記録再生装置を提供することにある。
【０００９】
【課題を解決するための手段】
本発明による第１の記録再生装置は、少なくとも、電子情報を記録媒体に記録するとともに該記録媒体から再生する記録再生ユニットと、この記録再生ユニットに記録される前記電子情報を入力する例えばデジタルカメラ、ビデオカメラあるいはＰＤＡ等の記録情報入力ユニットと、前記記録再生ユニットおよび記録情報入力ユニットの動作を制御するコントロールユニットとからなる記録再生装置であって、
これら複数のユニットが互いに略等しい平面形状とされた筐体を備えて、互いに別体に形成されるとともに、
前記複数のユニットを、互いに略等しい形状の平面部が重なる向きにして、着脱自在にまとめて保持する保持手段が設けられたことを特徴とするものである。
【００１０】
また、本発明による第２の記録再生装置は、少なくとも、記録媒体に対して相対的に移動する記録再生ヘッドを備えて電子情報を該記録媒体に記録するとともに該記録媒体から再生する記録再生ユニットと、この記録再生ユニットに記録される前記電子情報を入力する例えばデジタルカメラ、ビデオカメラあるいはＰＤＡ等の記録情報入力ユニットと、前記記録再生ユニットおよび記録情報入力ユニットの動作を制御するコントロールユニットとからなる記録再生装置であって、これら複数のユニットが互いに略等しい平面形状とされた筐体を備えて、互いに別体に形成されるとともに、
前記複数のユニットを、互いに略等しい形状の平面部が重なる向きにして、着脱自在にまとめて保持する保持手段が設けられ、
前記記録再生ユニットの記録再生ヘッドを保持する部分と筐体との間に、少なくとも記録再生ヘッドの移動方向の振動を吸収する制振部材が配設されたことを特徴とするものである。
【００１１】
なお、上述のように着脱自在にまとめて保持されるユニットは、上記記録再生ユニット、記録情報入力ユニットおよびコントロールユニットに対して、機能拡張を図って適宜追加使用されてもよいし、あるいはそれらのユニットと交換使用されてもよい。そのようなユニットとして具体的には、例えば液晶表示パネルからなる表示ユニットや、地球上における存在位置を検出するＧＰＳ（Ｇｌｏｂａｌ　Ｐｏｓｉｔｉｏｎｉｎｇ　Ｓｙｓｔｅｍ　）ユニット、ＬＡＮカード等の無線データ通信用ユニット、ＩＣカード等と外部装置とを無線で接続するＩＦ（Ｉｎｔｅｒｆａｃｅ）ユニット等が挙げられる。
【００１２】
また、上述のような記録再生ヘッドを有する記録再生ユニットとしては、記録媒体として磁気ディスクや、光ディスクや、さらには光磁気ディスク等を用いる記録再生ユニットが好適に用いられ得る。
【００１３】
また、上記制振部材は、例えばマンガン（Ｍｎ）７３％、銅（Ｃｕ）２０％、ニッケル（Ｎｉ）５％、鉄（Ｆｅ）２％からなる制振合金や、合成樹脂、あるいはゴム等から構成することができるが、中でも制振合金が好ましい。またこの制振部材としては、厚みが異なる部分によって相異なる固有振動数の振動を吸収できるように、厚みが連続的あるいは段階的に変化する形状のものを適用するのが望ましい。そしてこの制振部材は、記録再生ヘッドの移動方向の振動のみならず、その他の方向の振動を吸収するように配置されても勿論構わない。
【００１４】
【発明の効果】
本発明による記録再生装置においては、記録再生ユニット、記録情報入力ユニットおよびコントロールユニットが互いに略等しい平面形状とされた筐体を備えて、互いに別体に形成されるとともに、これら複数のユニットを着脱自在にまとめて保持する保持手段が設けられているので、それらのユニットの一部をグレードアップや故障のために交換しても、他のユニットはそのまま継続して使用することができる。したがって、グレードアップや故障のために記録再生装置の使用可能な部分までも無駄にしてしまうことがなくなるので、資源をより有効に利用可能となり、また消費者の経済的負担も軽減できる。
【００１５】
また本発明による記録再生装置においては、上記保持手段が、複数のユニットを、互いに略等しい形状の平面部が重なる向きにして保持するように構成されていることにより、複数のユニットは上記平面部の重なり方向に形状が揃った状態で安定して一つにまとめられるので、使い勝手も良好なものとなる。
【００１６】
さらに本発明による記録再生装置は、複数のユニットをまとめて構成されているので、将来全く新しい記録情報入力ユニット等が提供されるような状況になっても、その新規なユニットを追加購入し、他のユニットはそのまま使用することが可能であり、よって拡張性が高くてしかも長い年月に亘って使用可能なものとなる。
【００１７】
ここで、特に本発明による第２の記録再生装置においては、記録再生ユニットとして、磁気ディスク等の記録媒体に対して相対的に移動する記録再生ヘッドを備えたものが用いられている。この種の記録再生ユニットにおいては、操作中の振動や、誤って落とされる等によって記録再生ヘッドの移動方向の衝撃が加わると、記録再生ヘッドが位置ズレを起こす可能性がある。そうして位置ズレを起こした記録再生ヘッドは、正規の軌跡から外れた軌跡を移動するので、記録再生が不正になされたり、または記録再生できないおそれが有る。磁気ディスクや光ディスク等を用いる記録再生ユニットにおいては、いわゆるトラッキングサーボによって記録再生ヘッドを正規の軌跡に戻すことも可能であるが、記録時に記録再生ヘッドが位置ズレを起こしていて信号が記録媒体の誤った位置に記録されてしまった場合は、信号つまり記録情報の誤りを訂正することは困難である。
【００１８】
それに対して本発明による第２の記録再生装置においては、記録再生ユニットの記録再生ヘッドを保持する部分と筐体との間に、少なくとも該記録再生ヘッドの移動方向の振動を吸収する制振部材が配設されたことにより、記録再生ヘッドがその移動方向に位置ズレを起こすことが効果的に防止される。そこで、この記録再生ヘッドの位置ズレに起因して情報の記録や再生が不正になされることを確実に防止可能となる。
【００１９】
【発明の実施の形態】
以下、図面を参照して本発明の実施の形態を詳細に説明する。
【００２０】
図１と図２はそれぞれ、本発明の第１の実施の形態による記録再生装置１０を前面側、後面側から見た斜視形状を示すものである。本実施の形態の記録再生装置１０は一例として静止画像を撮影するいわゆるデジタルカメラを構成するものであり、記録情報入力ユニットとしてのカメラユニット２０と、コントロールユニット３０と、記録再生ユニット４０と、表示ユニット５０と、これらのユニット２０〜５０を保持する保持手段であるジョイント１１とを備えてなる。上記ユニット２０、３０、４０および５０はそれぞれ、平面形状すなわち図１の矢印Ａ方向から見た形状が一例としてＰＣＭＣＩＡ（登録商標）タイプＩＩのＰＣカードサイズとされた筐体２１、３１、４１および５１を有し、それらの筐体２１、３１、４１および５１の中に各々の機能を果たす要素が収められてなるものである。
【００２１】
カメラユニット２０は前面部に配された撮影レンズ２２等を有し、基本的には一般的なデジタルカメラの撮影部と同様に形成されている。このカメラユニット２０は、その側面部に形成された２個のピン受け穴（図示せず）にジョイント１１の連結ピン１２を各々受承することにより、このジョイント１１に連結固定される。この連結の解除は、例えばジョイント１１からカメラユニット２０を強く引き抜く、あるいは図示外の連結解除部材を操作する等によってなされる。
【００２２】
コントロールユニット３０は他のユニット２０、４０および５０を駆動するための電源、例えば充電池を内部に収容し、またその上面部に、他のユニット２０、４０および５０を操作するための複数の操作ボタン３２を有している。このコントロールユニット３０も、上記カメラユニット２０と同様にしてジョイント１１に連結され、そして連結解除されるように構成されている。
【００２３】
また記録再生ユニット４０は、一例として磁気ディスクカートリッジ４５を駆動するドライブ装置４３を着脱自在に保持するものである。すなわちドライブ装置４３は、記録再生ユニット４０の筐体４１に形成されたドライブ受承口４２から矢印Ｂ方向に挿し込むことにより、該筐体４１に一体的に保持される。この状態下では、筐体４１内に設置されている図示外の電気回路とドライブ装置４３とが、図示外のコネクタによって電気的に接続される。そしてその状態において、図示しないイジェクトボタンが押されると、ドライブ装置４３は筐体４１外に排出される。なおこの記録再生ユニット４０も、上記カメラユニット２０と同様にしてジョイント１１に連結され、そして連結解除されるように構成されている。
【００２４】
磁気ディスクカートリッジ４５は、上下シェルケースを接合して形成された薄いケース４６内に、例えば１．８インチタイプの円盤状フレキシブル磁気ディスクメディア４７を回転自在に収容してなるものである。上記ケース４６には、記録再生ユニット４０の磁気ヘッドを通過させるヘッド挿入用窓部４６ａが設けられるとともに、シャッター４８が取り付けられている。磁気ディスクカートリッジ４５は、ドライブ装置４３のケーシング８０に形成されたカートリッジ受け入れ口８１に矢印Ｄ方向に挿し込むことにより、このドライブ装置４３内に受承される。また、その状態において磁気ディスクカートリッジ４５の後端部（図１中の右端部）が少し押し込まれると、該磁気ディスクカートリッジ４５がドライブ装置４３の外に排出される。
【００２５】
カートリッジの非使用時、ヘッド挿入用窓部４６ａはシャッター４８によって閉じられているが、磁気ディスクカートリッジ４５がカートリッジ受け入れ口８１から矢印Ｄ方向に挿し込んでドライブ装置４３に装填される際に、ドライブ装置４３側のシャッター開部材に押されてシャッター４８が矢印Ｃ方向に移動し、それによりヘッド挿入用窓部４６ａが開かれる。
【００２６】
ドライブ装置４３はケーシング８０の内部に、磁気ヘッドアーム８２と、この磁気ヘッドアーム８２の先端に取り付けられた記録再生用磁気ヘッド８３と、上記磁気ヘッドアーム８２を固定して揺動軸Ｑの周りに揺動する基部８４とを備えている。基部８４が上記のように揺動すると磁気ヘッドアーム８２は図１中の矢印Ｆで示すように揺動する。またドライブ装置４３のケーシング８０の図中上端面と下端面にはそれぞれ、一例として前述の制振合金からなる板状の制振部材８５、８５が取り付けられている。したがって、このドライブ装置４３が筐体４１内に受承された際には、磁気ヘッド８３を保持しているケーシング８０と筐体４１との間に、これらの制振部材８５、８５が介在する状態となる。
【００２７】
表示ユニット５０は一例として液晶表示パネルからなり、これもカメラユニット２０と同様にしてジョイント１１に連結され、そして連結解除されるように構成されている。この表示ユニット５０は、その表示画面５２が記録再生ユニット４０側に位置する向きでジョイント１１に連結される。またこの表示ユニット５０の裏面、つまり表示画面５２と反対側の面には、付加的に使用される大容量の板状の電池５３が取り付けられていてもよい。
【００２８】
上記ジョイント１１は合成樹脂から形成され、一例として４個のユニットを連結保持するように構成されているが、上記表示ユニット５０を保持する部分とその他のユニット２０、３０、４０を保持する部分との間には、表示ユニット５０の高さ方向（図中の上下方向）に延びるヒンジ部１１ａが形成されている。ジョイント１１はこのヒンジ部１１ａにおいて折り曲げ自在とされており、そこで表示ユニット５０を、表示画面５２が記録再生ユニット４０に重なる状態（図１の状態）と、この表示画面５２を観察できるように開いた状態（図２の状態）とに設定することが可能となっている。
【００２９】
またジョイント１１は、ユニット２０〜５０を機械的に連結するだけでなく、接続ピン１３（図１ではカメラユニット２０用のものだけを表示）と、内部に形成された例えばプリント配線とによって、これらのユニット２０〜５０を互いに電気的に接続する。
【００３０】
以下、上記構成を有する記録再生装置１０の作用について説明する。この記録再生装置１０を使用する際には、ドライブ装置４３に前述のようにして磁気ディスクカートリッジ４５が装填され、そしてこのドライブ装置４３が記録再生ユニット４０の筐体４１内に挿入、保持される。そして装置使用者は、カメラユニット２０の撮影レンズ２２を被写体に向け、コントロールユニット３０の操作ボタン３２を操作することにより、該コントロールユニット３０と電気的に接続されているカメラユニット２０を作動させて、この被写体を撮影することができる。
【００３１】
なお操作ボタン３２としては、レリーズ操作を行うものや、カメラユニット２０が光学的あるいは電気的なズーム機能を有するものである場合にはズーミング操作を行うもの等が設けられる。このような操作ボタン３２としては、カメラユニット２０に替えて別の記録情報入力ユニット、例えば前述のＰＤＡユニット等が用いられるような場合には、カメラユニット２０専用のボタンと、別の記録情報入力ユニット用のボタンとをそれぞれ個別に設けておけばよい。あるいは、１つの操作ボタン３２を複数の記録情報入力ユニットに対して共用するようにして、各ボタンの機能を説明する表示を、使用される記録情報入力ユニット毎に切り替えてもよい。そのようにする場合は、複数の記録情報入力ユニットがそれぞれ自身の識別信号を出力するようにしておき、コントロールユニット３０がその識別信号を検出し、その検出結果に応じて上記表示を自動的に切り替えるように構成しておくのが好ましい。
【００３２】
カメラユニット２０は撮影した画像を担持する画像データを出力し、この画像データは記録再生ユニット４０に入力される。記録再生ユニット４０はドライブ装置４３を用いて、この画像データを磁気ディスクカートリッジ４５に記録する。なお被写体の撮影に際しては、表示ユニット５０の表示画面５２を観察することによって、構図等を決めることができる。また装置の非使用時には、この表示ユニット５０を図１の状態にしておくことにより、表示画面５２の損傷や汚染を防止可能となる。
【００３３】
また、磁気ディスクカートリッジ４５に記録された画像データを記録再生ユニット４０のドライブ装置４３により読取再生して、その画像データが担持する静止画像を表示ユニット５０の表示画面５２に表示させることも可能である。そのときの記録再生ユニット４０の作動も、コントロールユニット３０の操作ボタン３２の操作に基づいて制御される。
【００３４】
上記画像データの読取再生および記録は、ドライブ装置４３の記録再生用磁気ヘッド８３を用いてなされる。すなわち、ドライブ装置４３に装填されている磁気ディスクカートリッジ４５内で回転している磁気ディスクメディア４７に対して、ヘッド挿入用窓部４６ａを通して磁気ヘッド８３が近接され、この磁気ヘッド８３により磁気ディスクメディア４７から画像データが読み取られ、あるいは磁気ディスクメディア４７に画像データが記録される。
【００３５】
その際、磁気ヘッドアーム８２が図１中の矢印Ｆで示すように揺動することにより、磁気ヘッド８３は磁気ディスクメディア４７の最内周トラックと最外周トラックとの間を移動可能となっている。つまり、図１に破線で２つ示した磁気ヘッドアーム８２の位置のうち、下側位置に磁気ヘッドアーム８２が有るとき磁気ヘッド８３は最内周トラックにアクセス可能であり、上側位置に磁気ヘッドアーム８２が有るとき磁気ヘッド８３は最外周トラックにアクセス可能である。
【００３６】
以上説明した通り本実施の形態の記録再生装置１０においては、カメラユニット２０、コントロールユニット３０、記録再生ユニット４０および表示ユニット５０が互いに略等しい平面形状とされた筐体２１、３１、４１および５１を備えて、互いに別体に形成されるとともに、これらのユニット２０〜５０をジョイント１１により着脱自在にまとめて保持するようにしているので、それらのユニット２０〜５０の一部をグレードアップや故障のために交換しても、他のユニットはそのまま継続して使用することができる。したがって、グレードアップや故障のために使用可能な部分までも無駄にしてしまうことがなくなるので、資源をより有効に利用可能となり、また消費者の経済的負担も軽減できる。
【００３７】
またこの記録再生装置１０においては、ジョイント１１が複数のユニット２０〜５０を、互いに略等しい形状の平面部が重なる向きにして保持するように構成されていることにより、ユニット２０〜５０は上記平面部の重なり方向に形状が揃った状態で安定して一つにまとめられるので、使い勝手も良好なものとなる。
【００３８】
さらにこの記録再生装置１０は、複数のユニット２０〜５０をまとめて構成されているので、将来全く新しい記録情報入力ユニット等が提供されるような状況になっても、その新規なユニットだけを追加購入し、他のユニットはそのまま使用することが可能であり、よって拡張性が高くてしかも長い年月に亘って使用可能なものとなる。
【００３９】
なお、この記録再生装置１０の記録再生ユニット４０においては、それが誤って落とされる等によって磁気ヘッド８３の移動方向（矢印Ｆ方向）の衝撃が加わると、磁気ヘッド８３が位置ズレを起こす可能性がある。そうして位置ズレを起こした磁気ヘッド８３は、正規の軌跡から外れた軌跡を移動するので、画像データの記録再生が不正になされるおそれが有る。なお本実施の形態の記録再生装置１０はデジタルカメラであるので、落下のみならず、撮影操作時の手ブレや、走行撮影による揺れあるいは振動等によっても、上述のような衝撃が加わることがある。
【００４０】
しかし本実施の形態の記録再生装置１０が使用されるとき、直接的に衝撃が加わる記録再生ユニット４０の筐体４１と、磁気ヘッド８３を保持するケーシング８０との間には、磁気ヘッド８３の移動方向にほぼ向き合う状態で制振部材８５、８５が介在しているので、磁気ヘッド移動方向の衝撃はこれらの制振部材８５、８５に吸収されるようになる。そこで、磁気ヘッド８３がその移動方向に位置ズレを起こすことが効果的に防止されるので、この位置ズレに起因して画像データの記録や再生が不正になされることを確実に防止可能となる。
【００４１】
なお本実施の形態では、表示ユニット５０の裏面に大容量の電池５３が取り付けられるので、この電池５３から各ユニット２０〜５０に給電することにより、長時間の連続使用が可能になっている。
【００４２】
以上、４つのユニット２０〜５０から構成された実施の形態について説明したが、本発明の記録再生装置を構成するユニットの数は４個に限られるものではなく、少なくとも記録再生ユニットと記録情報入力ユニットとコントロールユニットとを含んだ上で、３個以上のいくつの数に設定されてもよい。例えば既述の実施の形態で用いられた表示ユニット５０は省いて、より安価なデジタルカメラを構成するようなことも可能である。また、ジョイント１１等のユニット保持手段は、例えば４個のユニット用、３個のユニット用等として専用に形成してもよいし、あるいは任意のユニット数に適応できるように、１つのユニットを保持する部分を適宜組み合わせて拡張できるように形成されてもよい。
【００４３】
また本発明の記録再生装置を構成する記録再生ユニットは、磁気ディスクカートリッジを記録媒体として用いるものに限らず、その他例えば、半導体メモリや磁気テープ等を記録媒体として用いるものを適用することもできる。
【００４４】
さらに本発明の記録再生装置を構成する記録情報入力ユニットも、以上説明したカメラユニット２０に限られるものではなく、先に説明したビデオカメラユニット、ＧＰＳユニット、無線データ通信用ユニット、ＩＣカード等と外部装置とを無線で接続するＩＦユニット等が適宜使用可能である。勿論、そのような記録情報入力ユニットを複数設けることにより、多機能の記録再生装置を構成することも可能である。
【００４５】
また、図３に示す第２の実施の形態におけるように、ドライブ装置４３’のケーシング８０の上下端部に取り付ける制振部材として、厚みが連続的に変化する楔形の制振部材８５’、８５’を適用してもよい。そうした場合は、制振部材８５’、８５’の厚みが異なる部分によって、相異なる固有振動数の振動を吸収できるようになる。またこのとき、ドライブ装置４３’を受承する筐体４１のドライブ受承部４２ａをテーパ状に形成しておくことにより、そこにドライブ装置４３’を軽く嵌合させて確実に保持可能となる。
【００４６】
また図１に示した磁気ヘッド８３は、磁気ヘッドアーム８２が揺動することにより、円弧に沿って移動するようになっているが、この磁気ヘッド８３等の記録再生ヘッドが直線状に移動するように構成された場合においても、その移動方向の振動を吸収する向きに制振部材を配設しておけば、前述と同様の効果を得ることができる。
【００４７】
次に図４を参照して、本発明の第３の実施の形態について説明する。なおこの図４において、図１および２中の要素と同等の要素には同番号を付し、それらについての説明は特に必要のない限り省略する。本実施の形態の記録再生装置６０は、図１および２に示した第１の実施の形態による記録再生装置１０と比べると基本的に、表示ユニット５０の配置状態が異なるものである。すなわち本実施の形態において表示ユニット５０は、その表示画面５２が外側（記録再生ユニット４０と反対側）を向く状態にしてジョイント１１’に連結固定されるようになっている。またこのジョイント１１’は図１に示したヒンジ部１１ａは備えないものである。そして大容量の板状の電池５３は、ヒンジ５４を介して表示ユニット５０に取り付けられ、図中矢印Ｄ方向に揺動自在とされている。
【００４８】
上記の構成において、表示ユニット５０は他のユニット２０〜４０と重なり合った状態を保つので、この状態のまま表示画面５２が観察される。このとき板状の電池５３は、表示ユニット５０の表示画面５２を露出させるようにに開かれる（図４の状態）。そして記録再生装置６０の非使用時には、この板状の電池５３が、表示ユニット５０の表示画面５２を覆う位置に設定される。そうすることによりこの場合も、表示画面５２の損傷や汚染を防止可能となる。
【図面の簡単な説明】
【図１】本発明の第１の実施の形態による記録再生装置を示す斜視図
【図２】図１の記録再生装置を異なる方向から見た斜視図
【図３】本発明の第２の実施の形態による記録再生装置の一部を示す正面図
【図４】本発明の第３の実施の形態による記録再生装置を示す斜視図
【符号の説明】
１０　　記録再生装置
１１、１１’　　ジョイント（保持手段）
２０　　カメラユニット
２１　　カメラユニットの筐体
３０　　コントロールユニット
３１　　コントロールユニットの筐体
４０　　記録再生ユニット
４１　　記録再生ユニットの筐体
４３、４３’　　記録再生ユニットのドライブ装置
４５　　磁気ディスクカートリッジ
５０　　表示ユニット
５１　　表示ユニットの筐体
８０　　ドライブ装置のケーシング
８２　　磁気ヘッドアーム
８３　　磁気ヘッド
８５、８５’　　制振部材
【図１】
2004111013.tif 000003
【図２】
2004111013.tif 000004
【図３】
2004111013.tif 000005
【図４】
2004111013.tif 000006